(57)【要約】      （修正有）【課題】無線網において制御情報を送信するための技法を提供する。【解決手段】階層型の制御チャネル構造を使用し、第１のグループの制御チャネルを低再使用セグメント内で送信し、第２のグループの制御チャネルを非再使用セグメント内で送信する。第１の制御チャネルを低再使用セグメント内で送信し、支配的干渉シナリオにおいて第２の制御チャネルを確実に受信することができるよう、非再使用セグメント内で送信される第２の制御チャネルを構成するために使用する。第１の基地局が第１の制御チャネル上で第１のメッセージをユーザ機器（ＵＥ）に送信する。そのＵＥは、第２の制御チャネルへの干渉を低減するよう干渉側基地局に要求するために、その干渉側基地局に第２のメッセージを送信する。第１の基地局が、第２の制御チャネル上で制御情報をそのＵＥに送信する。【選択図】図３
2015015737.tif 000002
【特許請求の範囲】
【請求項１】
無線通信のための方法であって、
第１の局から第２の局に第１の制御チャネル上で第１のメッセージを送信することであって、前記第１のメッセージは第２の制御チャネルを構成するために使用される、第１のメッセージを送信することと、
前記第１の局から前記第２の局に前記第２の制御チャネル上で情報を送信することであって、前記第２の制御チャネルが前記第１のメッセージにより構成されていることで、前記第２の制御チャネルは第３の局からのより少ない干渉を観測する、情報を送信することと
を備える、方法。
【請求項２】
前記第１の制御チャネルは、１を上回る再使用率を有する第１のセグメント内で送信し、前記第２の制御チャネルは、１のデフォルト再使用率を有する第２のセグメント内で送信する、請求項１に記載の方法。
【請求項３】
前記第２の制御チャネルの再使用を変更するために前記第１のメッセージを使用する、請求項１に記載の方法。
【請求項４】
前記第１のメッセージは、前記第２の制御チャネルを送信するために使用するリソース、または前記第２の制御チャネルに関してより少ない干渉が要求される持続時間、またはその両方を伝える、請求項１に記載の方法。
【請求項５】
前記第１の局は第１の基地局を備え、前記第２の局はユーザ機器（ＵＥ）を備え、前記第３の局は干渉側基地局を備える、請求項１に記載の方法。
【請求項６】
前記第１のメッセージは、前記第１の基地局の範囲内のすべてのＵＥに送信されるブロードキャストメッセージを備える、請求項５に記載の方法。
【請求項７】
前記第１のメッセージは、前記ＵＥに限定的に送信されるユニキャストメッセージを備える、請求項５に記載の方法。
【請求項８】
前記第１のメッセージは、前記第１の基地局を検出するためにＵＥが使用する低再使用プリアンブル（ＬＲＰ）を備える、請求項５に記載の方法。
【請求項９】
前記第２の制御チャネルは、前記第１の基地局から同期情報、またはシステム情報、またはその両方を運ぶ、請求項８に記載の方法。
【請求項１０】
前記第１のメッセージは、前記ＵＥのための事前割当メッセージを備え、前記第２の制御チャネルは、前記ＵＥのためのリソース割当メッセージを運ぶ、請求項５に記載の方法。
【請求項１１】
前記第１の基地局と前記干渉側基地局とは、異なる伝送電力レベルまたは異なるアソシエーションのタイプを有する、請求項５に記載の方法。
【請求項１２】
前記第１の局は第１のユーザ機器（ＵＥ）を備え、前記第２の局は基地局を備え、前記第３の局は干渉側ＵＥを備える、請求項１に記載の方法。
【請求項１３】
前記第１のメッセージは、前記基地局にアクセスするために前記第１のＵＥが送信するアクセスプローブを備える、請求項１２に記載の方法。
【請求項１４】
前記第１のメッセージは、アップリンク上でデータを伝送するためのリソースを要求するために前記第１のＵＥが送信するリソース要求を備える、請求項１２に記載の方法。
【請求項１５】
無線通信のための機器であって、
第１の局から第２の局に第１の制御チャネル上で第１のメッセージを送信するための手段であって、前記第１のメッセージは第２の制御チャネルを構成するために使用される、第１のメッセージを送信するための手段と、
前記第１の局から前記第２の局に前記第２の制御チャネル上で情報を送信するための手段であって、前記第２の制御チャネルが前記第１のメッセージにより構成されていることで、前記第２の制御チャネルは第３の局からのより少ない干渉を観測する、情報を送信するための手段と
を備える、機器。
【請求項１６】
前記第１の制御チャネルは、１を上回る再使用率を有する第１のセグメント内で送信し、前記第２の制御チャネルは、１のデフォルト再使用率を有する第２のセグメント内で送信し、前記第２の制御チャネルの再使用を変更するために前記第１のメッセージを使用する、請求項１５に記載の機器。
【請求項１７】
前記第１のメッセージは、前記第１の局の範囲内のすべての局に送信されるブロードキャストメッセージを備える、請求項１５に記載の機器。
【請求項１８】
前記第１のメッセージは、前記第２の局に限定的に送信されるユニキャストメッセージを備える、請求項１５に記載の機器。
【請求項１９】
無線通信のための機器であって、
少なくとも１個のプロセッサであって、第１の局から第２の局に第１の制御チャネル上で第１のメッセージを送信するように構成され、前記第１のメッセージは第２の制御チャネルを構成するために使用される、第１のメッセージを送信するように構成され、かつ前記第１の局から前記第２の局に前記第２の制御チャネル上で情報を送信するように構成され、前記第２の制御チャネルが前記第１のメッセージにより構成されていることで、前記第２の制御チャネルは第３の局からのより少ない干渉を観測する、情報を送信するように構成される、少なくとも１個のプロセッサを備える、機器。
【請求項２０】
前記第１の制御チャネルは、１を上回る再使用率を有する第１のセグメント内で送信し、前記第２の制御チャネルは、１のデフォルト再使用率を有する第２のセグメント内で送信し、前記第２の制御チャネルの再使用を変更するために前記第１のメッセージを使用する、請求項１９に記載の機器。
【請求項２１】
前記第１のメッセージは、前記第１の局の範囲内のすべての局に送信されるブロードキャストメッセージを備える、請求項１９に記載の機器。
【請求項２２】
前記第１のメッセージは、前記第２の局に限定的に送信されるユニキャストメッセージを備える、請求項１９に記載の機器。
【請求項２３】
第１の局から第２の局に第１の制御チャネル上で第１のメッセージを少なくとも１台のコンピュータに送信させるためのコードであって、前記第１のメッセージは第２の制御チャネルを構成するために使用される、送信させるためのコードと、
前記第１の局から前記第２の局に前記第２の制御チャネル上で情報を前記少なくとも１台のコンピュータに送信させるためのコードであって、前記第２の制御チャネルが前記第１のメッセージにより構成されていることで、前記第２の制御チャネルは第３の局からのより少ない干渉を観測する、送信させるためのコードと
を備えるコンピュータ可読媒体
を備える、コンピュータプログラム製品。
【請求項２４】
無線通信のための方法であって、
第２の局において第１の局から第１の制御チャネル上で第１のメッセージを受信することと、
第２の制御チャネルへの干渉を低減するよう第３の局に要求するために、前記第２の局から前記第３の局に第２のメッセージを送信することであって、前記第２のメッセージは前記第１のメッセージを受信することに応答して送信される、第２のメッセージを送信することと、
前記第２の局において前記第１の局から前記第２の制御チャネル上で情報を受信することであって、前記第２のメッセージによって前記第２の制御チャネルは前記第３の局からのより少ない干渉を観測する、情報を受信することと
を備える、方法。
【請求項２５】
前記第１の制御チャネルは、１を上回る再使用率を有する第１のセグメント内で受信し、前記第２の制御チャネルは、１のデフォルト再使用率を有する第２のセグメント内で受信し、前記第２のメッセージは前記第２の制御チャネルの再使用を変更する、請求項２４に記載の方法。
【請求項２６】
前記第１の局は第１の基地局を備え、前記第２の局はユーザ機器（ＵＥ）を備え、前記第３の局は干渉側基地局を備える、請求項２４に記載の方法。
【請求項２７】
前記第１の局は第１のユーザ機器（ＵＥ）を備え、前記第２の局は基地局を備え、前記第３の局は干渉側ＵＥを備える、請求項２４に記載の方法。
【請求項２８】
無線通信のための機器であって、
第２の局において第１の局から第１の制御チャネル上で第１のメッセージを受信するための手段と、
第２の制御チャネルへの干渉を低減するよう第３の局に要求するために、前記第２の局から前記第３の局に第２のメッセージを送信するための手段であって、前記第２のメッセージは前記第１のメッセージを受信することに応答して送信される、第２のメッセージを送信するための手段と、
前記第２の局において前記第１の局から前記第２の制御チャネル上で情報を受信するための手段であって、前記第２のメッセージによって前記第２の制御チャネルは前記第３の局からのより少ない干渉を観測する、情報を受信するための手段と
を備える、機器。
【請求項２９】
前記第１の制御チャネルは、１を上回る再使用率を有する第１のセグメント内で受信し、前記第２の制御チャネルは、１のデフォルト再使用率を有する第２のセグメント内で受信し、前記第２のメッセージは前記第２の制御チャネルの再使用を変更する、請求項２８に記載の機器。
【請求項３０】
無線通信網において第１の局から第２の局に情報を伝送することをサポートする方法であって、
第３の局において前記第２の局から要求メッセージを受信することであって、前記要求メッセージは、前記第１の局から第１の制御チャネル上でトリガメッセージを受信することに応答して前記第２の局が送信し、前記要求メッセージは、第２の制御チャネルへの干渉を低減するよう前記第３の局に要求する、要求メッセージを受信することと、
前記第２の局が前記第１の局から前記第２の制御チャネルを受信できるようにするために、前記第３の局が、前記第２の制御チャネルへの干渉を低減することと
を備える、方法。
【請求項３１】
前記干渉を低減することは、前記要求メッセージにより暗示的にまたは明示的に伝えられる時間にわたり、前記第２の制御チャネルへの干渉を低減することを備える、請求項３０に記載の方法。
【請求項３２】
前記干渉を低減することは、前記第２の制御チャネルに使用されるリソース上の干渉を低減することを備え、前記リソースは前記要求メッセージにより暗示的にまたは明示的に伝えられる、請求項３０に記載の方法。
【請求項３３】
前記干渉を低減することは、前記第２の制御チャネルに使用されるリソース上で、前記第３の局の伝送電力をゼロまたはより低いレベルに低減することを備える、請求項３０に記載の方法。
【請求項３４】
前記第１の局は第１の基地局を備え、前記第２の局はユーザ機器（ＵＥ）を備え、前記第３の局は干渉側基地局を備える、請求項３０に記載の方法。
【請求項３５】
前記第１の局は第１のユーザ機器（ＵＥ）を備え、前記第２の局は基地局を備え、前記第３の局は干渉側ＵＥを備える、請求項３０に記載の方法。
【請求項３６】
無線通信網において第１の局から第２の局に情報を伝送することをサポートするための機器であって、
第３の局において前記第２の局から要求メッセージを受信するための手段であって、前記要求メッセージは、前記第１の局から第１の制御チャネル上でトリガメッセージを受信することに応答して前記第２の局が送信し、前記要求メッセージは、第２の制御チャネルへの干渉を低減するよう前記第３の局に要求する、要求メッセージを受信するための手段と、
前記第２の局が前記第１の局から前記第２の制御チャネルを受信できるようにするために、前記第３の局が、前記第２の制御チャネルへの干渉を低減するための手段と
を備える、機器。
【請求項３７】
前記干渉を低減するための手段は、前記要求メッセージにより暗示的にまたは明示的に伝えられる時間にわたり、前記第２の制御チャネルへの干渉を低減するための手段を備える、請求項３６に記載の機器。
【請求項３８】
前記干渉を低減するための手段は、前記第２の制御チャネルに使用されるリソース上の干渉を低減するための手段を備え、前記リソースは前記要求メッセージにより暗示的にまたは明示的に伝えられる、請求項３６に記載の機器。
【請求項３９】
前記干渉を低減するための手段は、前記第２の制御チャネルに使用されるリソース上で、前記第３の局の伝送電力をゼロまたはより低いレベルに低減するための手段を備える、請求項３６に記載の機器。
【発明の詳細な説明】
【技術分野】
【０００１】
本出願は、２００８年７月１１日に出願され、本明細書の譲受人に譲渡され、参照により本明細書に組み込まれる「ＨＩＥＲＡＲＣＨＩＣＡＬ  ＣＯＮＴＲＯＬ  ＳＩＧＮＡＬＩＮＧ」と題された米国仮出願第６１／０８０，０４４号の優先権を主張するものである。
【０００２】
本開示は、一般に通信に関し、より詳細には、無線通信網において制御チャネルを送信するための技法に関する。
【背景技術】
【０００３】
音声、映像、パケットデータ、メッセージング、ブロードキャストなど、様々な通信コンテンツを提供するために無線通信網が広く展開されている。これらの無線網は、利用可能なネットワークリソースを共用することにより、複数のユーザをサポートすることができる多元接続網とすることができ得る。そうした多元接続網の例には、ＣＤＭＡ（符号分割多元接続）網、ＴＤＭＡ（時分割多元接続）網、ＦＤＭＡ（周波数分割多元接続）網、ＯＦＤＭＡ（直交ＦＤＭＡ）網、およびＳＣ−ＦＤＭＡ（単一キャリアＦＤＭＡ）網が含まれる。
【０００４】
無線通信網は、いくつかのＵＥ（ユーザ機器）のための通信をサポートできる、いくつかの基地局を含むことができ得る。ＵＥは、ダウンリンクおよびアップリンクを介して基地局と通信することができ得る。ダウンリンク（または順方向リンク）とは基地局からＵＥへの通信リンクを指し、アップリンク（または逆方向リンク）とはＵＥから基地局への通信リンクを指す。
【０００５】
基地局は、データおよび制御情報をＵＥにダウンリンク上で伝送することができ、データおよび制御情報をＵＥからアップリンク上で受信することができ得る。ダウンリンク上で、基地局からの伝送は、隣接する基地局からの伝送に起因する干渉を観測する場合がある。アップリンク上で、ＵＥからの伝送は、隣接する基地局と通信している他のＵＥからの伝送に起因する干渉を観測する場合がある。ダウンリンクおよびアップリンクの両方で、干渉側基地局および干渉側ＵＥに起因するこの干渉は性能を低下させる可能性がある。
【発明の概要】
【０００６】
無線通信網において制御情報を送信するための技法を本明細書に記載する。支配的干渉（dominant interference）シナリオでは、あるＵＥが、第１の基地局と通信することを望むことができ、第２の基地局からの高い干渉を観測する場合がある。この第１の基地局と第２の基地局とは、異なる伝送電力レベルおよび／または異なるアソシエーションのタイプを有することができる。
【０００７】
一態様では、制御チャネルを確実に受信できるようにするために、階層型の制御チャネル構造を使用することができ得る。ある設計では、所与のリンクの制御チャネルを２つのグループに分けることができ得る。第１のグループの制御チャネルは、低再使用セグメント内で送信することができ得、より少ない干渉を観測することができ得、すべてのシナリオで確実に受信することができ得る。第２のグループの制御チャネルは、非再使用セグメント内で送信することができ得、支配的干渉シナリオを除くほとんどのシナリオで確実に受信することができ得る。
【０００８】
別の態様では、所与のリンク上の第２の制御チャネルを構成するために、第１の制御チャネルを使用することができ得る。第１の制御チャネルは、低再使用セグメント内で送信することができ得、支配的干渉シナリオにおいてさえ確実に受信することができ得る。第２の制御チャネルは、非再使用セグメント内で送信することができ得、支配的干渉シナリオにおいて第２の制御チャネルを確実に受信することができるよう、第１の制御チャネルを介して構成することができ得る。
【０００９】
ある設計では、第１の基地局が、低再使用セグメント内の第１の制御チャネル上でＵＥに第１のメッセージを送信することができ得る。ＵＥはその第１のメッセージを受信することができ得、それに応答して、第２の制御チャネル用に使用する指定されたリソース上の干渉を低減するよう干渉側基地局に要求するための、第２のメッセージを干渉側基地局に送信することができ得る。干渉側基地局はその要求に従うことができ得、指定されたリソース上の干渉を低減することができ得る。第１の基地局は、非再使用セグメント内の第２の制御チャネル上でＵＥに制御情報を送信することができ得る。干渉側基地局からの干渉が、指定したリソース上でより少ないまたはないため、ＵＥは、第２の制御チャネル上でその制御情報を確実に受信することができ得る。
【００１０】
本開示の様々な態様および特徴を、以下にさらに詳細に説明する。
【図面の簡単な説明】
【００１１】
【図１】無線通信網を示す図。
【図２】所与のリンク上での制御チャネルの伝送を示す図。
【図３】ダウンリンクおよびアップリンクのそれぞれに関し、第２の制御チャネルを構成するために第１の制御チャネルを使用することを示す図。
【図４】ダウンリンクおよびアップリンクのそれぞれに関し、第２の制御チャネルを構成するために第１の制御チャネルを使用することを示す図。
【図５】制御情報を送信するためのプロセスを示す図。
【図６】制御情報を送信するための機器を示す図。
【図７】制御情報を受信するためのプロセスを示す図。
【図８】制御情報を受信するための機器を示す図。
【図９】干渉を抑圧するためのプロセスを示す図。
【図１０】干渉を抑圧するための機器を示す図。
【図１１】基地局およびＵＥのブロック図。
【発明を実施するための形態】
【００１２】
本明細書に記載する技法は、ＣＤＭＡ網、ＴＤＭＡ網、ＦＤＭＡ網、ＯＦＤＭＡ網、ＳＣ−ＦＤＭＡ網や他のネットワークなど、様々な無線通信網で使用することができ得る。用語「ネットワーク」と「システム」とは、多くの場合区別なく使用される。ＣＤＭＡ網は、ＵＴＲＡ（ユニバーサル地上無線アクセス）、ｃｄｍａ２０００などの無線技術を実装することができ得る。ＵＴＲＡには、ＷＣＤＭＡ（登録商標）（広帯域ＣＤＭＡ）およびＣＤＭＡの他の改変形態が含まれる。ｃｄｍａ２０００は、ＩＳ−２０００標準、ＩＳ−９５標準、およびＩＳ−８５６標準をカバーする。ＴＤＭＡ網は、ＧＳＭ（登録商標）（グローバルシステムフォーモバイルコミュニケーションズ）などの無線技術を実装することができ得る。ＯＦＤＭＡ網は、Ｅ−ＵＴＲＡ（進化型ＵＴＲＡ）、ＵＭＢ（ウルトラモバイルブロードバンド）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができ得る。ＵＴＲＡおよびＥ−ＵＴＲＡは、ＵＭＴＳ（ユニバーサルモバイル通信システム）の一部である。３ＧＰＰのＬＴＥ（ロングタームエボリューション）およびＬＴＥ−Ａ（ＬＴＥアドバンスド）は、ダウンリンク上でＯＦＤＭＡを使用しアップリンク上でＳＣ−ＦＤＭＡを使用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭについては、「第３世代パートナーシッププロジェクト」（３ＧＰＰ）という名前の組織からの文書に記載されている。ｃｄｍａ２０００およびＵＭＢについては、「第３世代パートナーシッププロジェクト２」（３ＧＰＰ２）という名前の組織からの文書に記載されている。本明細書に記載する技法は、上記に述べた無線網および無線技術ならびに他の無線網および無線技術で使用することができ得る。
【００１３】
図１は、いくつかの基地局１１０および他のネットワークエンティティを含むことができ得る、無線通信網１００を示す。基地局は、ＵＥと通信する局とすることができ得、Ｎｏｄｅ  Ｂ、ｅＮＢ（進化型Ｎｏｄｅ  Ｂ）、アクセスポイント等と呼ぶこともある。それぞれの基地局は、特定の地理的領域に通信カバレッジを提供することができ得る。３ＧＰＰでは、用語「セル」は、この用語が使用される文脈に応じて、基地局のカバレッジエリアおよび／またはそのカバレッジエリアにサービス提供する基地局サブシステムのカバレッジエリアを指すことができる。
【００１４】
基地局は、マクロセル、ピコセル、フェムトセル、および／または他の種類のセルに通信カバレッジを提供することができ得る。マクロセルは、比較的広い地理的領域（例えば半径数キロメートル）をカバーすることができ得、サービスに加入しているＵＥによる無制限アクセスを可能にすることができ得る。ピコセルは、比較的狭い地理的領域をカバーすることができ得、サービスに加入しているＵＥによる無制限アクセスを可能にすることができ得る。フェムトセルは、比較的狭い地理的領域（例えば住居）をカバーすることができ得、そのフェムトセルとの関連を有するＵＥ（例えばＣＳＧ（限定加入者グループ： Closed Subscriber Group）内のＵＥ、住居内のユーザ向けのＵＥ等）による限定アクセスを可能にすることができ得る。マクロセル用の基地局を、マクロ基地局と呼ぶことがある。ピコセル用の基地局を、ピコ基地局と呼ぶことがある。フェムトセル用の基地局を、フェムト基地局またはホーム基地局と呼ぶことがある。図１に示す例では、基地局１１０ａ、１１０ｂ、および１１０ｃは、マクロセル１０２ａ、１０２ｂ、および１０２ｃそれぞれのマクロ基地局とすることができ得る。基地局１１０ｘは、ピコセル１０２ｘのピコ基地局とすることができ得る。基地局１１０ｙおよび１１０ｚは、フェムトセル１０２ｙおよび１０２ｚそれぞれのフェムト基地局とすることができ得る。１つの基地局は、１つまたは複数の（例えば３つの）セルをサポートすることができ得る。
【００１５】
無線網１００は、中継局も含むことができ得る。中継局とは、上流にある局（例えば基地局やＵＥ）からデータおよび／または他の情報の伝送を受信し、そのデータおよび／または他の情報の伝送を下流の局（例えばＵＥや基地局）に送信する局である。中継局は、他のＵＥ向けの伝送を中継するＵＥとすることもでき得る。図１に示す例では、基地局１１０ａとＵＥ１２０ｒとの間の通信を助けるために、中継局１１０ｒは基地局１１０ａおよびＵＥ１２０ｒと通信することができ得る。中継局は、リレー、中継局等と呼ぶこともある。
【００１６】
無線網１００は、様々な種類の基地局、例えばマクロ基地局、ピコ基地局、フェムト基地局、リレー等を含む異種ネットワークとすることができ得る。これらの様々な種類の基地局は、無線網１００内で、異なる伝送電力レベル、異なるカバレッジエリア、および干渉に対する異なる影響を有することがある。例えば、マクロ基地局は高い伝送電力レベル（例えば２０ワット）を有することがあるのに対し、ピコ基地局、フェムト基地局、およびリレーは、より低い伝送電力レベル（例えば１ワット）を有することがある。
【００１７】
ネットワークコントローラ１３０は、１組の基地局に結合することができ得、これらの基地局に関する調整および制御を行うことができ得る。ネットワークコントローラ１３０は、バックホールを介して基地局１１０と通信することができ得る。基地局１１０は、例えば無線または有線バックホールを介して直接もしくは間接的に、互いに通信することもでき得る。
【００１８】
ＵＥ１２０は、無線網１００の全体にわたって分散することができ得、それぞれのＵＥは固定体または移動体とすることができ得る。ＵＥは、端末、移動局、加入者ユニット、局などと呼ぶこともでき得る。ＵＥは、携帯電話、ＰＤＡ（携帯情報端末）、無線モデム、無線通信デバイス、ハンドヘルドデバイス、ラップトップコンピュータ、コードレス電話、ＷＬＬ（無線ローカルループ）局などとすることができ得る。ＵＥは、マクロ基地局、ピコ基地局、フェムト基地局、リレー等と通信可能とすることができ得る。図１では、両方向矢印の実線が、ＵＥと、そのＵＥにダウンリンク上および／またはアップリンク上でサービス提供するように指定される基地局であるサービス提供基地局との間の所望の伝送を示す。両方向矢印の破線は、ＵＥと基地局との間の干渉する伝送を示す。本明細書の説明では、局は、基地局、ＵＥ、リレー、または他の何らかのエンティティとすることができ得る。
【００１９】
ＵＥは、複数の基地局のカバレッジの範囲内にある場合がある。そのＵＥにサービス提供するために、それらの基地局のうちの１つを選択することができ得る。このサービス提供基地局は、ジオメトリ、伝搬損失など、様々な基準に基づいて選択することができ得る。ジオメトリは、ＳＮ比（ＳＮＲ）、ＳＮ干渉比（ＳＩＮＲ）、キャリア対干渉比（Ｃ／Ｉ）等によって量子化することができ得る。
【００２０】
このＵＥは、支配的干渉シナリオにおいて動作することができ得、支配的干渉シナリオとは、ＵＥが１つまたは複数の干渉側基地局からの高い干渉を観測することができ得、かつ／または１つもしくは複数の隣接する基地局に対して高い干渉を引き起こす可能性があるシナリオである。高い干渉は、観測される干渉がしきい値を超えることにより、または他の何らかの基準に基づいて量子化することができ得る。
【００２１】
支配的干渉シナリオは、レンジ拡張（range extension）が原因で発生する場合があり、レンジ拡張とは、ＵＥが検出する複数の基地局のうちでより低い伝搬損失およびより低いジオメトリを有する基地局にＵＥが接続するシナリオである。例えば図１では、ＵＥ１２０ｘは、マクロ基地局１１０ｂおよびピコ基地局１１０ｘを検出することができ得、基地局１１０ｘに関して基地局１１０ｂよりも低い電力を受信している可能性がある。しかし、基地局１１０ｘの伝搬損失がマクロ基地局１１０ｂの伝搬損失より低い場合、ＵＥ１２０ｘがピコ基地局１１０ｘに接続することが望ましい可能性がある。このことは、ＵＥ１２０ｘの所与のデータ転送率に関し、無線網へのより少ない干渉をもたらすことができ得る。
【００２２】
支配的干渉シナリオは、制限されたアソシエーションが原因でも発生する場合がある。例えば図１では、ＵＥ１２０ｙはフェムト基地局１１０ｙに近い可能性があり、基地局１１０ｙに関して高い電力を受信している可能性がある。しかし、制限されたアソシエーションが原因で、ＵＥ１２０ｙはフェムト基地局１１０ｙにアクセスできない場合があり、より低い電力を受信する（図１に示す）マクロ基地局１１０ｃ、または同様により低い電力を受信するフェムト基地局１１０ｚ（図１には不図示）に接続することができ得る。ＵＥ１２０ｙは、ダウンリンク上でフェムト基地局１１０ｙからの高い干渉を観測する可能性があり、さらにアップリンク上でフェムト基地局１１０ｙへの高い干渉を引き起こす可能性がある。
【００２３】
無線網１００は、ダウンリンク用の１組の制御チャネルと、アップリンク用の１組の制御チャネルとをサポートすることができ得る。制御チャネルとは、トラヒックデータ以外の任意の情報を備えることができ得る制御情報を運ぶチャネルである。例えば、制御情報には、スケジューリング情報、システム情報、ブロードキャスト情報、ページング情報、構成情報、フィードバック情報、コマンドや命令等が含まれ得る。制御情報は、オーバヘッド情報、シグナリング等とも呼ぶことがある。制御チャネルは、物理チャネル、トランスポートチャネル、または他の何らかの種類のチャネルとすることができ得る。制御チャネルは、オーバヘッドチャネル、シグナリングチャネル、ブロードキャストチャネル、制御伝送、制御信号等とも呼ぶことがある。
【００２４】
一態様では、制御チャネルを確実に受信できるようにするために、階層型の制御チャネル構造を使用することができ得る。ある設計では、所与のリンクの制御チャネルを２つのグループに分けることができ得る。それぞれのグループは、１つまたは複数の制御チャネルを含むことができ得る。第１のグループの制御チャネルは、１を上回る再使用率（reuse factor）を有する低再使用セグメント内で送信することができ得る。第２のグループの制御チャネルは、１のデフォルト／公称（nominal）再使用率を有する非再使用セグメント内で送信することができ得る。１の再使用率（または非再使用）は、所与のリソースがその無線網の中のすべての基地局によって使用され得ることを意味する。Ｍの再使用率、ただしＭ＞１は、Ｍ個の基地局中１個の割合でしか所与のリソースを使用でき得ないことを意味する。より高い再使用率（すなわちＭのより大きい値）はより低い再使用に対応し、逆もまた同様である。
【００２５】
所与の制御チャネルは、様々な方法で、低再使用セグメント内で送信することができ得る。ダウンリンク上で、計画された再使用方式では、基地局は、その基地局に割り当てられる可能性があるＭ個のリソースのうちの１つにより制御チャネルを送信することができ得る。指定されたエンティティが、様々な基地局に様々なリソースを割り当てることができ得る。ランダム再使用方式では、基地局は、自らが擬似ランダム的に選択することができ得るリソース上で制御チャネルを送信することができ得る。学習された再使用方式では、基地局は様々なリソース上で干渉がないかどうか検出することができ得、最も少ない干渉を有するリソース上で制御チャネルを送信することができ得る。すべての再使用方式で、互いへの干渉を回避しまたは減らすために、様々な基地局が低再使用セグメント内の互いに異なるリソース上で自らの制御チャネルを伝送することができ得る。
【００２６】
低再使用セグメント内で送信される第１のグループの制御チャネルは、より少ない干渉を観測することができ得、すべてのまたはほとんどのシナリオで確実に受信することができ得る。非再使用セグメント内で送信される第２のグループの制御チャネルは、支配的干渉シナリオにおいて高い干渉を観測する可能性がある。第２のグループの制御チャネルの性能は、以下に記載するように支配的干渉シナリオにおいて改善することができ得る。
【００２７】
図２は、Ｌ個の送信局Ａ〜Ｌによる、所与のリンク上での制御チャネルの例示的伝送を示し、ただしＬは任意の整数値とすることができ得る。ダウンリンクでは、これらの送信局は、例えば図２に示すのと異なる種類の基地局とすることができ得る。アップリンクでは、これらの送信局は様々なセル内のＵＥとすることができ得る。どんな場合でも、送信局ごとに、横軸は時間を表すことができ得、縦軸は周波数（frequency）を表すことができ得る。伝送のタイムラインは、サブフレーム単位へと区分化することができ得る。各サブフレームは、特定の持続時間、例えば１ミリ秒（ｍｓ）を有することができ得る。
【００２８】
それぞれの送信局は、１組の制御チャネルを伝送することができ得る。簡潔にするために、図２には２つの制御チャネル＃１および＃２のみを示す。それぞれの制御チャネルは、その制御チャネルに割り当てられるリソース上で伝送することができ得る。概してリソースは、時間、周波数、コード、伝送電力等によって量子化することができ得る。例えば、リソースは、ＬＴＥにおけるリソースブロック、ＵＭＢにおけるタイル等によって量子化することができ得る。それぞれの制御チャネルは、各サブフレーム内で、または一定のサブフレーム内でのみ伝送することができ得る。
【００２９】
図２に示す例では、制御チャネル＃１が低再使用セグメント内で送信され、制御チャネル＃２が非再使用セグメント内で送信される。図２に示すように、これらＬ個の送信局は、所与のサブフレーム内の様々なリソース上で自らの制御チャネル＃１を伝送することができ得る。同じく図２に示すように、これらＬ個の送信局は、所与のサブフレーム内の同じリソース上で自らの制御チャネル＃２を伝送することができ得る。
【００３０】
概して、それぞれの制御チャネルは、その中でその制御チャネルが伝送される各サブフレーム内の固定された時間周波数位置（time-frequency location）において、または様々なサブフレーム内の様々な時間周波数位置において伝送することができ得る。図２に示す例では、送信局が、制御チャネル＃２を各サブフレーム内の固定された位置において伝送し、制御チャネル＃１を一部のサブフレーム内の様々な位置において伝送する。送信局および受信局は、関心のある各制御チャネルに使用されるリソースを知ることができ得る。送信局は、制御チャネルに使用されていないリソース上でデータを伝送することもでき得る。
【００３１】
ダウンリンクでは、すべての基地局が、ダウンリンク用の低再使用セグメント内の様々なリソース上で第１のグループのダウンリンク制御チャネルを伝送することができ得る。様々な基地局が、ダウンリンク用の非再使用セグメント内の同じリソース上で第２のグループのダウンリンク制御チャネルを伝送することができ得る。アップリンクでは、すべてのＵＥが、アップリンク用の低再使用セグメント内の様々なリソース上で第１のグループのアップリンク制御チャネルを伝送することができ得る。様々なセル内のＵＥが、アップリンク用の非再使用セグメント内の同じリソース上で第２のグループのアップリンク制御チャネルを伝送することができ得る。
【００３２】
別の態様では、所与のリンク上の第２の制御チャネルを構成するために、第１の制御チャネルを使用することができ得る。第１の制御チャネルは、低再使用セグメント内で送信することができ得、支配的干渉シナリオにおいてさえ確実に受信することができ得る。第２の制御チャネルは、非再使用セグメント内で送信することができ得、支配的干渉シナリオを除くほとんどのシナリオで確実に受信することができ得る。第２の制御チャネルは、支配的干渉シナリオにおいて第２の制御チャネルを確実に受信することができるよう、必要に応じて第１の制御チャネルを介して構成することができ得る。
【００３３】
第２の制御チャネルを構成するために第１の制御チャネルを使用することは、リソース活用を改善しながら支配的干渉シナリオにおける動作を可能にすることができ得る。第２の制御チャネルをすべてのシナリオにおいて確実に受信できるよう、第２の制御チャネルを低再使用セグメント内で送信することが可能な場合がある。しかし、干渉を抑圧するためには再使用はよいが、それぞれの送信局は利用可能な全リソースのほんの一部分しか使用することができないので、リソース活用の観点からは再使用は非効率であり得る。第２の制御チャネルを非再使用セグメント内で送信することにより、リソース活用を改善することができ得る。第２の制御チャネルは、支配的干渉シナリオにおいて確実に受信できるようにするために、第１の制御チャネルを介して必要に応じて構成することができ得る。こうして第２の制御チャネルは、過度のリソースを占有しない一方、再使用の利益を得ることができる可能性がある。第１の制御チャネルは、小さいペイロードを運ぶことができ得、したがって小さい低再使用セグメントを占有することができ得る。
【００３４】
第１の制御チャネルは、様々な方法で第２の制御チャネルを構成することができ得る。ある設計では、例えば第２の制御チャネルへの干渉を低減するよう、干渉する局に求めることにより、第１の制御チャネルは第２の制御チャネルの再使用を変更することができ得る。別の設計では、第１の制御チャネルは、第２の制御チャネルが送信されるリソースを伝える（convey）ことができ得る。これらのリソースは、干渉する局からのより少ない干渉を有することができ得る。さらに別の設計では、第１の制御チャネルが第２の制御チャネルの伝送を活性化することができ得る。さらに別の設計では、第１の制御チャネルが、第２の制御チャネルに関連するリソース上で干渉抑圧機構（例えば動的ＦＦＲ（Ｆｒａｃｔｉｏｎａｌ  Ｆｒｅｑｕｅｎｃｙ  Ｒｅｕｓｅ：部分的周波数再使用））を始動させることができ得る。第１の制御チャネルは、他の方法で第２の制御チャネルを構成することもでき得る。第１の制御チャネルは、例えば同じまたは異なる構成を有する複数の制御チャネルを構成することもでき得る。
【００３５】
図３は、ダウンリンク上で、第２の制御チャネルを構成するために第１の制御チャネルを使用する設計を示す。ＵＥは、所望の基地局だけでなく干渉側基地局のカバレッジの範囲内にあることがあり得、干渉側基地局からの高い干渉を観測することができ得る。干渉側基地局からの高い干渉が原因で、このＵＥは、所望の基地局から第２の制御チャネルを確実に受信することができない可能性がある。
【００３６】
所望の基地局は、そのＵＥに（例えばダウンリンク用の低再使用セグメント内の）第１の制御チャネル上で第１のメッセージを送信することができ得る。この第１のメッセージは、所望の基地局が第２の制御チャネルに使用する指定されたリソース上の干渉を低減することを干渉側基地局に求めるよう、ＵＥに暗示的にまたは明示的に要求することができ得る。ＵＥはその第１のメッセージを受信することができ得、それに応答して、第２の制御チャネル用の指定されたリソース上の干渉を低減するよう干渉側基地局に要求するための、第２のメッセージを干渉側基地局に送信することができ得る。干渉側基地局は、ＵＥからその第２のメッセージを受信することができ得、その要求に従うことができ得る。その後、干渉側基地局は、指定されたリソース上の干渉を低減することができ得る。
【００３７】
所望の基地局は、（例えばダウンリンク用の非再使用セグメント内の）指定されたリソース上の第２の制御チャネル上でＵＥに制御情報を送信することができ得る。干渉側基地局からの干渉が、指定したリソース上でより少ないまたはないため、ＵＥは、第２の制御チャネル上で制御情報を確実に受信することができる可能性がある。
【００３８】
第１の制御チャネルおよび第２の制御チャネルは、様々な方法で送信することができ得る。ある設計では、第１の制御チャネルは、所望の基地局によりすべてのＵＥに送信されるブロードキャストメッセージを運ぶことができ得る。別の設計では、第１の制御チャネルは、所望の基地局により特定のＵＥに送信されるユニキャストメッセージを運ぶことができ得る。さらに別の設計では、第１の制御チャネルは、所望の基地局によりＵＥのグループに送信されるマルチキャストメッセージを運ぶことができ得る。
【００３９】
第２のメッセージも、ＵＥにより様々な方法で送信することができ得る。ある設計では、第２のメッセージは、すべての干渉側基地局に送信されるブロードキャストメッセージとすることができ得る。別の設計では、第２のメッセージは、支配的に干渉している基地局に限定的に送信されるユニキャストメッセージとすることができ得る。さらに別の設計では、第２のメッセージは、このＵＥにとって十分に高い干渉を引き起こしている干渉側基地局のグループに送信されるマルチキャストメッセージとすることができ得る。
【００４０】
ある設計では、第１のメッセージは、支配的干渉シナリオにおいてＵＥがセルを検出することを可能にするための、低再使用セグメント内の第１の制御チャネル上で送信されるＬＲＰ（低再使用プリアンブル）とすることができ得る。第２の制御チャネルは、タイミング情報のための同期信号、システム情報等を運ぶことができ得、非再使用セグメント内の指定されたリソース上で送信することができ得る。この指定されたリソースは、指定された周波数副帯域、指定された時間インタレース（time interlace）等を備えることができ得、基地局およびＵＥによって先験的に知られている可能性がある。あるいは、このＬＲＰは指定されたリソースに関する情報を含むことができ得る。他の制御情報を運ぶために、非再使用セグメント内で追加の制御チャネルを送信することもでき得る。
【００４１】
ＵＥは、所望の基地局からのＬＲＰを検出することができ得る。ＵＥは、自らが支配的干渉シナリオにおいて動作していると判断することができ得、第２の制御チャネルに使用される指定されたリソースに対する干渉を低減するよう干渉側基地局に要求することができ得る。その後、このＵＥは、第２の制御チャネル上で送信される同期信号、システム情報等を確実に受信することができる。
【００４２】
別の設計では、第１のメッセージは、低再使用セグメント内の第１の制御チャネル上で特定のＵＥに送信されるｐｒｅＬＡＢ（事前リンク割当ブロック：pre-link assignment block）メッセージとすることができ得る。このｐｒｅＬＡＢメッセージは、事前割当メッセージ、事前付与メッセージ等とも呼ぶことがある。このｐｒｅＬＡＢメッセージは、このｐｒｅＬＡＢメッセージにより伝えることができ得る特定のリソース上の干渉を低減することを、支配的に干渉しているＵＥの基地局に要求するよう、そのＵＥに求めることができ得る。次いでＵＥは、低減された干渉を得るための要求を干渉側基地局に送信することができ得る。その後、このＵＥは、割当、肯定応答など、特定のリソースについての制御情報を所望の基地局から受信することができ得る。ＵＥは、特定のリソースについてのデータも所望の基地局から受信することができ得る。
【００４３】
ある設計では、所望の基地局が、第２の制御チャネルを常に同じ方法で送信することができ得る。高い干渉を観測している各ＵＥは、そのＵＥが所望の基地局から第２の制御チャネルを受信できるようにするために、支配的に干渉している自らの基地局に指定されたリソース上の干渉を低減するよう要求することができ得る。この第２の制御チャネルの構成（例えば再使用）は、干渉側基地局が第２の制御チャネルへの干渉を低減させることに基づいて変更することができ得る。この設計は、第１の制御チャネルおよび第２の制御チャネルが所望の基地局により、例えば上記に述べたＬＲＰによりブロードキャストされる事例に特に適用可能であり得る。
【００４４】
別の設計では、所望の基地局が第２の制御チャネルを構成可能な方法で（例えば構成可能なリソース上で）送信することができ得、その構成を伝えるために第１の制御チャネルを使用することができ得る。干渉側基地局が第２の制御チャネルへの干渉を低減させることにより、第２の制御チャネルの再使用を変更することもでき得る。この設計は、第２の制御チャネルが所望の基地局により、例えば上記に述べたｐｒｅＬＡＢメッセージによりユニキャスト方式で送信される事例に特に適用可能であり得る。
【００４５】
図４は、アップリンク上で、第２の制御チャネルを構成するために第１の制御チャネルを使用する設計を示す。基地局は、自らのカバレッジの範囲内に第１のＵＥだけでなく干渉側ＵＥも有することができ得、その干渉側ＵＥからの高い干渉を観測することができ得る。干渉側ＵＥからの高い干渉が原因で、この基地局は第１のＵＥから第２の制御チャネルを受信することができない可能性がある。
【００４６】
第１のＵＥは、その基地局に（例えばアップリンク用の低再使用セグメント内の）第１の制御チャネル上で第１のメッセージを送信することができ得る。この第１のメッセージは、第１のＵＥが第２の制御チャネルに使用する指定されたリソース上の干渉を低減することを干渉側ＵＥに求めるよう、その基地局に暗示的にまたは明示的に要求することができ得る。基地局はその第１のメッセージを受信することができ得、それに応答して、指定されたリソース上の干渉を低減するよう干渉側ＵＥに要求するための、第２のメッセージを干渉側ＵＥに送信することができ得る。干渉側ＵＥは、基地局からその第２のメッセージを受信することができ得、その要求に従うことができ得る。その後、干渉側ＵＥは、指定されたリソース上の干渉を低減することができ得る。第１のＵＥは、（例えばアップリンク用の非再使用セグメント内の）指定されたリソース上の第２の制御チャネル上で基地局に制御情報を送信することができ得る。干渉側ＵＥからの干渉が、指定したリソース上でより少ないまたはないため、基地局は、第２の制御チャネル上で制御情報を確実に受信することができる可能性がある。
【００４７】
ある設計では、第１のメッセージは、基地局にアクセスするために第１のＵＥが第１の制御チャネル（例えばアクセスチャネル）上で送信するアクセスプローブとすることができ得る。第２の制御チャネルは、基地局に登録するために使用する制御情報、リソースを要求するために使用する制御情報等を運ぶことができ得る。別の設計では、第１のメッセージは、アップリンク上でデータを伝送するためのリソースを基地局に要求するために、第１のＵＥが第１の制御チャネル上で送信するリソース要求とすることができ得る。第２の制御チャネルは、アップリンクのデータ伝送のための制御情報および／またはデータを運ぶことができ得る。第１の制御チャネルおよび第２の制御チャネルは、他の情報も運ぶことができ得る。例えば図３に関して上記に述べたように、第１のメッセージと第２のメッセージとは様々な方法で送信することができ得る。
【００４８】
概して、受信局は（例えば低再使用セグメント内の）第１の制御チャネルを受信することができ得、（例えば非再使用セグメント内の）第２の制御チャネル用に使用する指定されたリソース上の干渉を低減するよう干渉する局に要求することができ得る。この干渉の低減またはブランキング（blanking）は、その要求によって暗示的にまたは明示的に伝えることができ得る特定の持続時間にわたり続くことができ得る。例えば、干渉を低減させる持続時間は、（ｉ）第２の制御チャネル上で情報を受信するために固定された時間が必要な場合は暗示的に伝え、または（ｉｉ）第２の制御チャネル上で情報を受信するために可変的な時間が必要な場合は明示的に伝えることができ得る。この干渉の低減またはブランキングは、その要求によって暗示的にまたは明示的に伝えることができ得るリソース上で行うこともでき得る。例えば、そのリソースは、（ｉ）第２の制御チャネルが固定的リソース上で送信される場合は暗示的に伝え、または（ｉｉ）第２の制御チャネルが構成可能なリソース上で送信できる場合は明示的に伝えることができ得る。
【００４９】
本明細書に記載した技法は、支配的干渉シナリオにおいて制御チャネルを確実に受信できるようにすることができ得る。所与のリンクでは、非再使用セグメント内で送信される制御チャネルは、通信をサポートすることができ得、オーバヘッドチャネル、ページングチャネル、割当チャネル、フィードバックチャネル等を備えることができ得る。１つまたは複数の制御チャネルを低再使用セグメント内で送信することができ得、非再使用セグメント内で送信される制御チャネルを構成する（例えばその再使用を変更する）ために使用することができ得る。低再使用セグメント内で送信される１つまたは複数の制御チャネルのペイロードは小さくてよく、その低再使用セグメントをサポートするために使用するリソースの量は小さい可能性がある。
【００５０】
ある設計では、第１の制御チャネルに半静的干渉制御を使用することができ得、第２の制御チャネルに動的干渉制御を使用することができ得る。半静的干渉制御では、所望の性能を得るために、半静的構成（例えば半静的に割り当てられるリソース）に従って第１の制御チャネルを送信することができ得る。動的干渉制御では、干渉の状態に基づいて選択しまたは変更することができ得る動的構成（例えば動的に割り当てられるリソース）を用いて第２の制御チャネルを送信することができ得る。例えば、干渉の状態に基づいて第２の制御チャネルの動的構成を変更するために、第１の制御チャネルを使用することができ得る。第１の制御チャネルは、第２の制御チャネルを活性化しかつ／または構成するためのブートストラッピング機構として使用することができ得る。
【００５１】
図５は、制御情報を送信するためのプロセス５００の設計を示す。プロセス５００は、基地局、ＵＥ、リレー、または他の何らかのエンティティとすることがある第１の局によって実行することができ得る。第１の局は、第２の局に第１の制御チャネル上で第１のメッセージを送信することができ得る（ブロック５１２）。この第１のメッセージは、第２の制御チャネルを構成するために使用することができ得る。第１の局は、第２の局に第２の制御チャネル上で情報を送信することができ得る（ブロック５１４）。第２の制御チャネルが第１のメッセージにより構成されていることで、第２の制御チャネルは第３の局からのより少ない干渉を観測することができ得る。
【００５２】
ある設計では、第１の制御チャネルを、１を上回る再使用率を有する第１のセグメント（例えば低再使用セグメント）内で送信することができ得る。第２の制御チャネルは、１のデフォルト再使用率を有する第２のセグメント（例えば非再使用セグメント）内で送信することができ得る。第１のメッセージは、第２の制御チャネルの再使用を変更するために使用することができ得る。第１のメッセージは、第２の制御チャネルを送信するために使用するリソース、第２の制御チャネルに関してより少ない干渉を要求する持続時間、および／または他の情報を伝えることができ得る。
【００５３】
ある設計では、例えば図３に示すように、第１の局は第１の基地局を備えることができ得、第２の局はＵＥを備えることができ得、第３の局は干渉側基地局を備えることができ得る。第１の基地局と干渉側基地局とは、異なる伝送電力レベルおよび／または異なるアソシエーションのタイプを有することができ得る。第１のメッセージは、第１の基地局の範囲内のすべてのＵＥに送信されるブロードキャストメッセージ、または１つのＵＥに限定的に送信されるユニキャストメッセージを備えることができ得る。ある設計では、第１のメッセージは、第１の基地局を検出するためにＵＥが使用するＬＲＰを備えることができ得る。第２の制御チャネルは、第１の基地局からの同期情報、システム情報、および／または他の情報を運ぶことができ得る。別の設計では、第１のメッセージは、ＵＥのためのプリアサインメント（例えばｐｒｅＬＡＢ）メッセージを備えることができ得る。第２の制御チャネルは、ＵＥのためのリソース割当メッセージを運ぶことができ得る。
【００５４】
別の設計では、例えば図４に示すように、第１の局は第１のＵＥを備えることができ得、第２の局は基地局を備えることができ得、第３の局は干渉側ＵＥを備えることができ得る。第１のメッセージは、基地局にアクセスするために第１のＵＥが送信するアクセスプローブ、アップリンク上でデータを伝送するためのリソースを要求するために第１のＵＥが送信するリソース要求、または他の何らかのメッセージを備えることができ得る。
【００５５】
図６は、制御情報を送信するための機器６００の設計を示す。機器６００は、第２の制御チャネルを構成するために、第１の局から第２の局に第１の制御チャネル上で第１のメッセージを送信するためのモジュール６１２と、第１の局から第２の局に第２の制御チャネル上で情報を送信するためのモジュール６１４とを含む。
【００５６】
図７は、制御情報を受信するためのプロセス７００の設計を示す。プロセス７００は、ＵＥ、基地局、リレー、または他の何らかのエンティティとすることがある第２の局によって実行することができ得る。第２の局は、第１の局から第１の制御チャネル上で第１のメッセージを受信することができ得る（ブロック７１２）。第２の局は、第２の制御チャネルへの干渉を低減するよう第３の局に要求するために、第３の局に第２のメッセージを送信することができ得る（ブロック７１４）。第２の局は、第１のメッセージを受信することに応答して第２のメッセージを送信することができ得る。第２の局は、第１の局から第２の制御チャネル上で情報を受信することができ得る（ブロック７１６）。第２の制御チャネルは、第２のメッセージにより第３の局からのより少ない干渉を観測することができ得る。
【００５７】
ある設計では、第２の局は、１を上回る再使用率を有する第１のセグメント内で第１の制御チャネルを受信することができ得、１のデフォルト再使用率を有する第２のセグメント内で第２の制御チャネルを受信することができ得る。第２のメッセージは、第２の制御チャネルの再使用を変更することができ得る。ある設計では、例えば図３に示すように、第１の局は第１の基地局を備えることができ得、第２の局はＵＥを備えることができ得、第３の局は干渉側基地局を備えることができ得る。別の設計では、例えば図４に示すように、第１の局は第１のＵＥを備えることができ得、第２の局は基地局を備えることができ得、第３の局は干渉側ＵＥを備えることができ得る。
【００５８】
図８は、制御情報を受信するための機器８００の設計を示す。機器８００は、第２の局において第１の局から第１の制御チャネル上で第１のメッセージを受信するためのモジュール８１２と、第２の制御チャネルへの干渉を低減するよう第３の局に要求するために、第２の局から第３の局に第２のメッセージを送信するためのモジュール８１４と、第２の局において第１の局から第２の制御チャネル上で情報を受信するためのモジュール８１６とを含む。
【００５９】
図９は、第１の局から第２の局への伝送への干渉を抑圧するためのプロセス９００の設計を示す。プロセス９００は、基地局、ＵＥ、リレー、または他の何らかのエンティティとすることができ得る第３の局によって実行することができ得る。第３の局は、第２の局から要求メッセージを受信することができ得る（ブロック９１２）。この要求メッセージは、第１の局から第１の制御チャネル上でトリガメッセージを受信することに応答して第２の局が送信することができ得る。この要求メッセージは、第２の制御チャネルへの干渉を低減するよう第３の局に要求することができ得る。第２の局が第１の局から第２の制御チャネルを受信できるようにするために、第３の局は、第２の制御チャネルへの干渉を低減することができ得る（ブロック９１４）。第３の局は、要求メッセージにより暗示的にまたは明示的に伝えられる時間にわたり、第２の制御チャネルへの干渉を低減することができ得る。第３の局は、要求メッセージにより暗示的にまたは明示的に伝えることができ得る、第２の制御チャネル用に使用されるリソースに対する干渉を低減することができ得る。第３の局は、第２の制御チャネルに使用されるリソース上で、自らの伝送電力をゼロまたはより低いレベルに低減することができ得る。
【００６０】
ある設計では、例えば図３に示すように、第１の局は第１の基地局を備えることができ得、第２の局はＵＥを備えることができ得、第３の局は干渉側基地局を備えることができ得る。別の設計では、例えば図４に示すように、第１の局は第１のＵＥを備えることができ得、第２の局は基地局を備えることができ得、第３の局は干渉側ＵＥを備えることができ得る。
【００６１】
図１０は、第１の局から第２の局への伝送への干渉を抑圧するための機器１０００の設計を示す。機器１０００は、第３の局において第２の局から要求メッセージを受信するためのモジュール１０１２と、第２の局が第１の局から第２の制御チャネルを受信できるようにするために、第３の局が、第２の制御チャネルへの干渉を低減するためのモジュール１０１４とを含む。
【００６２】
図６、図８、および図１０のモジュールは、プロセッサ、電子デバイス、ハードウェアデバイス、電子コンポーネント、論理回路、メモリ、ソフトウェアコード、ファームウェアコード等、またはそれらの任意の組合せを備えることができ得る。
【００６３】
図１１は、図１の基地局の１つおよびＵＥの１つとすることができ得る、基地局１１０およびＵＥ１２０の設計のブロック図を示す。基地局１１０は、Ｔ個のアンテナ１１３４ａ〜１１３４ｔを備えることができ得、ＵＥ１２０は、Ｒ個のアンテナ１１５２ａ〜１１５２ｒを備えることができ得、ただし、概してＴ≧１であり、Ｒ≧１である。
【００６４】
基地局１１０において、伝送プロセッサ１１２０が、データソース１１１２からデータを、コントローラ／プロセッサ１１４０から制御情報を受け取ることができ得る。この制御情報は、ダウンリンクの低再使用セグメントおよび非再使用セグメント内で送信される制御チャネル用とすることができ得る。プロセッサ１１２０は、データシンボルおよび制御シンボルをそれぞれ得るために、このデータおよび制御情報を処理（例えば符号化およびシンボルマップ）することができ得る。プロセッサ１１２０は、パイロットシンボルを生成することもでき得る。ＴＸ（伝送）ＭＩＭＯ（多入力多出力）プロセッサ１１３０は、妥当な場合、そのデータシンボル、制御シンボル、および／またはパイロットシンボルに対して空間処理（例えばプリコーディング）を実行することができ得、Ｔ個の出力シンボルストリームをＴ個の変調器（ＭＯＤ）１１３２ａ〜１１３２ｔに与えることができ得る。それぞれの変調器１１３２は、出力サンプルストリームを得るために、それぞれの出力シンボルストリームを（例えばＯＦＤＭ等に関して）処理することができ得る。それぞれの変調器１１３２は、ダウンリンク信号を得るために、その出力サンプルストリームをさらに処理する（例えばアナログに変換、増幅、フィルタ、およびアップコンバートする）ことができ得る。変調器１１３２ａ〜１１３２ｔからのＴ個のダウンリンク信号は、Ｔ個のアンテナ１１３４ａ〜１１３４ｔのそれぞれを介して伝送することができ得る。
【００６５】
ＵＥ１２０において、アンテナ１１５２ａ〜１１５２ｒが、基地局１１０および他の基地局からのダウンリンク信号を受信することができ得、受信した信号を復調器（ＤＥＭＯＤ）１１５４ａ〜１１５４ｒのそれぞれに与えることができ得る。それぞれの復調器１１５４は、入力サンプルを得るために、受信したそれぞれの信号をコンディショニングする（例えばフィルタ、増幅、ダウンコンバート、およびディジタル化する）ことができ得る。それぞれの復調器１１５４は、受信したシンボルを得るために、その入力サンプルを（例えばＯＦＤＭ等に関して）さらに処理することができ得る。ＭＩＭＯ検波器１１５６が、全Ｒ個の復調器１１５４ａ〜１１５４ｒから受信済みシンボルを得て、妥当な場合、その受信済みシンボルに対してＭＩＭＯ検波を実行し、検波されるシンボルを提供することができ得る。受信プロセッサ１１５８が、その検波されるシンボルを処理（例えば復調、ディインタリーブ、および復号）し、ＵＥ１２０のための復号済みデータをデータシンク１１６０に与え、復号済み制御情報をコントローラ／プロセッサ１１８０に与えることができ得る。
【００６６】
アップリンク上で、ＵＥ１２０において、伝送プロセッサ１１６４がデータソース１１６２からデータを、コントローラ／プロセッサ１１８０から制御情報を受け取り、処理することができ得る。この制御情報は、アップリンクの低再使用セグメントおよび非再使用セグメント内で送信される制御チャネル用とすることができ得る。プロセッサ１１６４は、パイロットシンボルを生成することもでき得る。伝送プロセッサ１１６４からのシンボルは、妥当な場合、ＴＸ  ＭＩＭＯプロセッサ１１６６がプリコードし、変調器１１５４ａ〜１１５４ｒが（例えばＳＣ−ＦＤＭ等に関して）さらに処理し、基地局１１０に伝送することができ得る。基地局１１０において、ＵＥ１２０および他のＵＥからのアップリンク信号をアンテナ１１３４により受信し、復調器１１３２により処理し、妥当な場合、ＭＩＭＯ検波器１１３６により検波し、ＵＥ１２０によって送信される復号済みデータおよび制御情報を得るために受信プロセッサ１１３８によりさらに処理することができ得る。プロセッサ１１３８は、その復号済みデータをデータシンク１１３９に、および復号済み制御情報をコントローラ／プロセッサ１１４０に与えることができ得る。
【００６７】
コントローラ／プロセッサ１１４０および１１８０は、基地局１１０およびＵＥ１２０それぞれにおける動作を指図することができ得る。基地局１１０におけるプロセッサ１１４０ならびに／または他のプロセッサおよびモジュールは、図５のプロセス５００、図７のプロセス７００、図９のプロセス９００、および／または本明細書に記載の技法に関する他のプロセスを実行しもしくは指図することができ得る。ＵＥ１２０におけるプロセッサ１１８０ならびに／または他のプロセッサおよびモジュールも、図５のプロセス５００、図７のプロセス７００、図９のプロセス９００、および／または本明細書に記載の技法に関する他のプロセスを実行しもしくは指図することができ得る。メモリ１１４２および１１８２は、基地局１１０およびＵＥ１２０それぞれのための、データおよびプログラムコードを記憶することができ得る。スケジューラ１１４４は、ダウンリンクおよび／またはアップリンク上のデータ伝送に関してＵＥをスケジュールすることができ得る。
【００６８】
様々な異なる技術および技法のいずれかを使用して情報および信号を表すことができ得ることを、当業者なら理解するであろう。例えば、上記の説明全体にわたって言及することがあるデータ、命令、コマンド、情報、信号、ビット、シンボル、およびチップは、電圧、電流、電磁波、磁界や磁粉、光場や光粒子、またはその任意の組合せによって表すことができ得る。
【００６９】
本明細書の開示に関連して記載した様々な説明のための論理ブロック、モジュール、回路、およびアルゴリズムステップは、電子ハードウェア、コンピュータソフトウェア、またはその両方の組合せとして実装することができ得ることを当業者はさらに理解するであろう。ハードウェアとソフトウェアとのこの互換性を明瞭に示すために、様々な説明のためのコンポーネント、ブロック、モジュール、回路、およびステップを、概してそれらの機能の観点から上記に説明してきた。そうした機能をハードウェアとして実装するかソフトウェアとして実装するかは、システム全体に課せられる特定の応用例および設計の制約によって決まる。当業者は、記載した機能を特定の応用例ごとに様々な方法で実装することができ得るが、そうした実装の決定は本開示の範囲からの逸脱をもたらすものとして解釈すべきでない。
【００７０】
本明細書の開示に関連して記載した様々な説明のための論理ブロック、モジュール、および回路は、汎用プロセッサ、ＤＳＰ（ディジタル信号プロセッサ）、ＡＳＩＣ（特定用途向け集積回路）、ＦＰＧＡ（書替え可能ゲートアレー）や他のプログラム可能論理デバイス、個別ゲートやトランジスタ論理、個別ハードウェアコンポーネント、または本明細書に記載の機能を実行するように設計される、それらの任意の組合せを用いて実装し、もしくは実行することができ得る。汎用プロセッサは、マイクロプロセッサとすることができ得るが、代替形態では、このプロセッサは任意の従来型のプロセッサ、コントローラ、マイクロコントローラ、または状態機械（ステート・マシン）とすることができ得る。プロセッサは、コンピューティングデバイスの組合せ、例えばＤＳＰとマイクロプロセッサとの組合せ、複数のマイクロプロセッサ、ＤＳＰコアに関連する１つもしくは複数のマイクロプロセッサ、またはそのような他の任意の構成としても実装することができ得る。
【００７１】
本明細書の開示に関連して記載した方法またはアルゴリズムのステップは、ハードウェア内、プロセッサによって実行されるソフトウェアモジュール内、またはその２つの組合せの中に直接実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形式の記憶媒体の中にあることができ得る。プロセッサが記憶媒体から情報を読み出し記憶媒体に情報を書き込めるよう、例示的記憶媒体がプロセッサに結合される。代替形態では、この記憶媒体はプロセッサと一体型とすることができ得る。このプロセッサおよび記憶媒体は、ＡＳＩＣ内にあることができ得る。そのＡＳＩＣはユーザ端末内にあることができ得る。代替形態では、このプロセッサおよび記憶媒体は、ユーザ端末内の個別のコンポーネントとしてあることができ得る。
【００７２】
１つまたは複数の例示的設計では、記載した機能は、ハードウェア、ソフトウェア、ファームウェア、またはそれらの任意の組合せに実装することができ得る。ソフトウェアに実装する場合、これらの機能は、コンピュータ可読媒体上の１つもしくは複数の命令またはコード上に記憶し、あるいはその１つもしくは複数の命令またはコードとして伝送することができ得る。コンピュータ可読媒体には、ある場所から別の場所へコンピュータプログラムを転送することを助ける任意の媒体を含む、コンピュータ記憶媒体および通信媒体の両方が含まれる。記憶媒体は、汎用コンピュータまたは専用コンピュータがアクセス可能な任意の利用可能な媒体とすることができ得る。限定ではなく例として、そうしたコンピュータ可読媒体は、ＲＡＭ、ＲＯＭ、ＥＥＰＲＯＭ、ＣＤ−ＲＯＭや他の光ディスク記憶域、磁気ディスク記憶域や他の磁気記憶デバイス、または所望のプログラムコード手段を命令やデータ構造の形で保持しもしくは記憶するために使用でき、汎用コンピュータもしくは専用コンピュータ、または汎用プロセッサもしくは専用プロセッサがアクセスすることができる他の任意の媒体を備えることができ得る。また、どんな接続も適切にコンピュータ可読媒体と呼ぶ。例えば、ソフトウェアがウェブサイト、サーバ、または他の遠隔ソースから、同軸ケーブル、光ファイバケーブル、ツイストペア、ＤＳＬ（ディジタル加入者線）、または赤外線、無線、マイクロ波などの無線技術を使用して伝送される場合、その同軸ケーブル、光ファイバケーブル、ツイストペア、ＤＳＬ、または赤外線、無線、マイクロ波などの無線技術は、媒体の定義に含まれる。本明細書で使用するとき、ディスク（ｄｉｓｋ）およびディスク（ｄｉｓｃ）には、ＣＤ（コンパクトディスク）、レーザーディスク（登録商標）、光ディスク、ＤＶＤ（ディジタル多用途ディスク）、フロッピー（登録商標）ディスク、およびブルーレイディスクが含まれ、ディスク（ｄｉｓｋ）が通常データを磁気的に複製するのに対し、ディスク（ｄｉｓｃ）はデータをレーザーで光学的に複製する。上記のものの組合せもコンピュータ可読媒体の範囲に含まれるべきである。
【００７３】
本開示の先の説明は、任意の当業者が本開示を作成しまたは使用できるようにするために行った。本開示に対する様々な修正形態が当業者には容易に明らかになり、本明細書で定義した一般的な原理は、本開示の趣旨または範囲から逸脱することなく他の改変形態に適用することができ得る。よって、本開示を本明細書に記載した例および設計に限定することは意図せず、本明細書に開示した原理および新規特徴に一致する最も広い範囲が認められるべきである。
【図１】
2015015737.tif 000003
【図２】
2015015737.tif 000004
【図３】
2015015737.tif 000005
【図４】
2015015737.tif 000006
【図５】
2015015737.tif 000007
【図６】
2015015737.tif 000008
【図７】
2015015737.tif 000009
【図８】
2015015737.tif 000010
【図９】
2015015737.tif 000011
【図１０】
2015015737.tif 000012
【図１１】
2015015737.tif 000013
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
無線通信のための方法であって、
第１の局から第２の局に第１の制御チャネル上で第１のメッセージを送信することであって、前記第１のメッセージは第２の制御チャネルを構成するために使用される、第１のメッセージを送信することと、
前記第１の局から前記第２の局に前記第２の制御チャネル上で情報を送信することであって、前記第２の制御チャネルが前記第１のメッセージにより構成されていることで、前記第２の制御チャネルは第３の局からのより少ない干渉を観測する、情報を送信することと
を備える、方法。
【手続補正２】
【補正対象書類名】明細書
【補正対象項目名】００７３
【補正方法】変更
【補正の内容】
【００７３】
本開示の先の説明は、任意の当業者が本開示を作成しまたは使用できるようにするために行った。本開示に対する様々な修正形態が当業者には容易に明らかになり、本明細書で定義した一般的な原理は、本開示の趣旨または範囲から逸脱することなく他の改変形態に適用することができ得る。よって、本開示を本明細書に記載した例および設計に限定することは意図せず、本明細書に開示した原理および新規特徴に一致する最も広い範囲が認められるべきである。
以下に本願発明の当初の特許請求の範囲に記載された発明を付記する。
［Ｃ１］  無線通信のための方法であって、
第１の局から第２の局に第１の制御チャネル上で第１のメッセージを送信することであって、前記第１のメッセージは第２の制御チャネルを構成するために使用される、第１のメッセージを送信することと、
前記第１の局から前記第２の局に前記第２の制御チャネル上で情報を送信することであって、前記第２の制御チャネルが前記第１のメッセージにより構成されていることで、前記第２の制御チャネルは第３の局からのより少ない干渉を観測する、情報を送信することと
を備える、方法。
［Ｃ２］  前記第１の制御チャネルは、１を上回る再使用率を有する第１のセグメント内で送信し、前記第２の制御チャネルは、１のデフォルト再使用率を有する第２のセグメント内で送信する、Ｃ１に記載の方法。
［Ｃ３］  前記第２の制御チャネルの再使用を変更するために前記第１のメッセージを使用する、Ｃ１に記載の方法。
［Ｃ４］  前記第１のメッセージは、前記第２の制御チャネルを送信するために使用するリソース、または前記第２の制御チャネルに関してより少ない干渉が要求される持続時間、またはその両方を伝える、Ｃ１に記載の方法。
［Ｃ５］  前記第１の局は第１の基地局を備え、前記第２の局はユーザ機器（ＵＥ）を備え、前記第３の局は干渉側基地局を備える、Ｃ１に記載の方法。
［Ｃ６］  前記第１のメッセージは、前記第１の基地局の範囲内のすべてのＵＥに送信されるブロードキャストメッセージを備える、Ｃ５に記載の方法。
［Ｃ７］  前記第１のメッセージは、前記ＵＥに限定的に送信されるユニキャストメッセージを備える、Ｃ５に記載の方法。
［Ｃ８］  前記第１のメッセージは、前記第１の基地局を検出するためにＵＥが使用する低再使用プリアンブル（ＬＲＰ）を備える、Ｃ５に記載の方法。
［Ｃ９］  前記第２の制御チャネルは、前記第１の基地局から同期情報、またはシステム情報、またはその両方を運ぶ、Ｃ８に記載の方法。
［Ｃ１０］  前記第１のメッセージは、前記ＵＥのための事前割当メッセージを備え、前記第２の制御チャネルは、前記ＵＥのためのリソース割当メッセージを運ぶ、Ｃ５に記載の方法。
［Ｃ１１］  前記第１の基地局と前記干渉側基地局とは、異なる伝送電力レベルまたは異なるアソシエーションのタイプを有する、Ｃ５に記載の方法。
［Ｃ１２］  前記第１の局は第１のユーザ機器（ＵＥ）を備え、前記第２の局は基地局を備え、前記第３の局は干渉側ＵＥを備える、Ｃ１に記載の方法。
［Ｃ１３］  前記第１のメッセージは、前記基地局にアクセスするために前記第１のＵＥが送信するアクセスプローブを備える、Ｃ１２に記載の方法。
［Ｃ１４］  前記第１のメッセージは、アップリンク上でデータを伝送するためのリソースを要求するために前記第１のＵＥが送信するリソース要求を備える、Ｃ１２に記載の方法。
［Ｃ１５］  無線通信のための機器であって、
第１の局から第２の局に第１の制御チャネル上で第１のメッセージを送信するための手段であって、前記第１のメッセージは第２の制御チャネルを構成するために使用される、第１のメッセージを送信するための手段と、
前記第１の局から前記第２の局に前記第２の制御チャネル上で情報を送信するための手段であって、前記第２の制御チャネルが前記第１のメッセージにより構成されていることで、前記第２の制御チャネルは第３の局からのより少ない干渉を観測する、情報を送信するための手段と
を備える、機器。
［Ｃ１６］  前記第１の制御チャネルは、１を上回る再使用率を有する第１のセグメント内で送信し、前記第２の制御チャネルは、１のデフォルト再使用率を有する第２のセグメント内で送信し、前記第２の制御チャネルの再使用を変更するために前記第１のメッセージを使用する、Ｃ１５に記載の機器。
［Ｃ１７］  前記第１のメッセージは、前記第１の局の範囲内のすべての局に送信されるブロードキャストメッセージを備える、Ｃ１５に記載の機器。
［Ｃ１８］  前記第１のメッセージは、前記第２の局に限定的に送信されるユニキャストメッセージを備える、Ｃ１５に記載の機器。
［Ｃ１９］  無線通信のための機器であって、
少なくとも１個のプロセッサであって、第１の局から第２の局に第１の制御チャネル上で第１のメッセージを送信するように構成され、前記第１のメッセージは第２の制御チャネルを構成するために使用される、第１のメッセージを送信するように構成され、かつ前記第１の局から前記第２の局に前記第２の制御チャネル上で情報を送信するように構成され、前記第２の制御チャネルが前記第１のメッセージにより構成されていることで、前記第２の制御チャネルは第３の局からのより少ない干渉を観測する、情報を送信するように構成される、少なくとも１個のプロセッサを備える、機器。
［Ｃ２０］  前記第１の制御チャネルは、１を上回る再使用率を有する第１のセグメント内で送信し、前記第２の制御チャネルは、１のデフォルト再使用率を有する第２のセグメント内で送信し、前記第２の制御チャネルの再使用を変更するために前記第１のメッセージを使用する、Ｃ１９に記載の機器。
［Ｃ２１］  前記第１のメッセージは、前記第１の局の範囲内のすべての局に送信されるブロードキャストメッセージを備える、Ｃ１９に記載の機器。
［Ｃ２２］  前記第１のメッセージは、前記第２の局に限定的に送信されるユニキャストメッセージを備える、Ｃ１９に記載の機器。
［Ｃ２３］  第１の局から第２の局に第１の制御チャネル上で第１のメッセージを少なくとも１台のコンピュータに送信させるためのコードであって、前記第１のメッセージは第２の制御チャネルを構成するために使用される、送信させるためのコードと、
前記第１の局から前記第２の局に前記第２の制御チャネル上で情報を前記少なくとも１台のコンピュータに送信させるためのコードであって、前記第２の制御チャネルが前記第１のメッセージにより構成されていることで、前記第２の制御チャネルは第３の局からのより少ない干渉を観測する、送信させるためのコードと
を備えるコンピュータ可読媒体
を備える、コンピュータプログラム製品。
［Ｃ２４］  無線通信のための方法であって、
第２の局において第１の局から第１の制御チャネル上で第１のメッセージを受信することと、
第２の制御チャネルへの干渉を低減するよう第３の局に要求するために、前記第２の局から前記第３の局に第２のメッセージを送信することであって、前記第２のメッセージは前記第１のメッセージを受信することに応答して送信される、第２のメッセージを送信することと、
前記第２の局において前記第１の局から前記第２の制御チャネル上で情報を受信することであって、前記第２のメッセージによって前記第２の制御チャネルは前記第３の局からのより少ない干渉を観測する、情報を受信することと
を備える、方法。
［Ｃ２５］  前記第１の制御チャネルは、１を上回る再使用率を有する第１のセグメント内で受信し、前記第２の制御チャネルは、１のデフォルト再使用率を有する第２のセグメント内で受信し、前記第２のメッセージは前記第２の制御チャネルの再使用を変更する、Ｃ２４に記載の方法。
［Ｃ２６］  前記第１の局は第１の基地局を備え、前記第２の局はユーザ機器（ＵＥ）を備え、前記第３の局は干渉側基地局を備える、Ｃ２４に記載の方法。
［Ｃ２７］  前記第１の局は第１のユーザ機器（ＵＥ）を備え、前記第２の局は基地局を備え、前記第３の局は干渉側ＵＥを備える、Ｃ２４に記載の方法。
［Ｃ２８］  無線通信のための機器であって、
第２の局において第１の局から第１の制御チャネル上で第１のメッセージを受信するための手段と、
第２の制御チャネルへの干渉を低減するよう第３の局に要求するために、前記第２の局から前記第３の局に第２のメッセージを送信するための手段であって、前記第２のメッセージは前記第１のメッセージを受信することに応答して送信される、第２のメッセージを送信するための手段と、
前記第２の局において前記第１の局から前記第２の制御チャネル上で情報を受信するための手段であって、前記第２のメッセージによって前記第２の制御チャネルは前記第３の局からのより少ない干渉を観測する、情報を受信するための手段と
を備える、機器。
［Ｃ２９］  前記第１の制御チャネルは、１を上回る再使用率を有する第１のセグメント内で受信し、前記第２の制御チャネルは、１のデフォルト再使用率を有する第２のセグメント内で受信し、前記第２のメッセージは前記第２の制御チャネルの再使用を変更する、Ｃ２８に記載の機器。
［Ｃ３０］  無線通信網において第１の局から第２の局に情報を伝送することをサポートする方法であって、
第３の局において前記第２の局から要求メッセージを受信することであって、前記要求メッセージは、前記第１の局から第１の制御チャネル上でトリガメッセージを受信することに応答して前記第２の局が送信し、前記要求メッセージは、第２の制御チャネルへの干渉を低減するよう前記第３の局に要求する、要求メッセージを受信することと、
前記第２の局が前記第１の局から前記第２の制御チャネルを受信できるようにするために、前記第３の局が、前記第２の制御チャネルへの干渉を低減することと
を備える、方法。
［Ｃ３１］  前記干渉を低減することは、前記要求メッセージにより暗示的にまたは明示的に伝えられる時間にわたり、前記第２の制御チャネルへの干渉を低減することを備える、Ｃ３０に記載の方法。
［Ｃ３２］  前記干渉を低減することは、前記第２の制御チャネルに使用されるリソース上の干渉を低減することを備え、前記リソースは前記要求メッセージにより暗示的にまたは明示的に伝えられる、Ｃ３０に記載の方法。
［Ｃ３３］  前記干渉を低減することは、前記第２の制御チャネルに使用されるリソース上で、前記第３の局の伝送電力をゼロまたはより低いレベルに低減することを備える、Ｃ３０に記載の方法。
［Ｃ３４］  前記第１の局は第１の基地局を備え、前記第２の局はユーザ機器（ＵＥ）を備え、前記第３の局は干渉側基地局を備える、Ｃ３０に記載の方法。
［Ｃ３５］  前記第１の局は第１のユーザ機器（ＵＥ）を備え、前記第２の局は基地局を備え、前記第３の局は干渉側ＵＥを備える、Ｃ３０に記載の方法。
［Ｃ３６］  無線通信網において第１の局から第２の局に情報を伝送することをサポートするための機器であって、
第３の局において前記第２の局から要求メッセージを受信するための手段であって、前記要求メッセージは、前記第１の局から第１の制御チャネル上でトリガメッセージを受信することに応答して前記第２の局が送信し、前記要求メッセージは、第２の制御チャネルへの干渉を低減するよう前記第３の局に要求する、要求メッセージを受信するための手段と、
前記第２の局が前記第１の局から前記第２の制御チャネルを受信できるようにするために、前記第３の局が、前記第２の制御チャネルへの干渉を低減するための手段と
を備える、機器。
［Ｃ３７］  前記干渉を低減するための手段は、前記要求メッセージにより暗示的にまたは明示的に伝えられる時間にわたり、前記第２の制御チャネルへの干渉を低減するための手段を備える、Ｃ３６に記載の機器。
［Ｃ３８］  前記干渉を低減するための手段は、前記第２の制御チャネルに使用されるリソース上の干渉を低減するための手段を備え、前記リソースは前記要求メッセージにより暗示的にまたは明示的に伝えられる、Ｃ３６に記載の機器。
［Ｃ３９］  前記干渉を低減するための手段は、前記第２の制御チャネルに使用されるリソース上で、前記第３の局の伝送電力をゼロまたはより低いレベルに低減するための手段を備える、Ｃ３６に記載の機器。
【外国語明細書】
2015015737000001.pdf